(57)【要約】      （修正有）【課題】操作性を向上することが可能なセンサ付き表示装置及びその駆動方法を提供する。【解決手段】センサ付き表示装置ＤＳＰは、表示パネルＰＮＬと、センサ信号を出力するセンサ部ＳＥと、センサ信号に基づき表示パネルへのタッチを検出するタッチ検出部ＴＳと、センサ信号に基づき表示パネルを押下する押力を検出する押力検出部ＰＳと、表示パネルを制御する表示制御部ＤＣＴと、を備える。表示制御部は、表示パネルにメニューボタンを表示させ、タッチ検出部によりメニューボタンへのタッチが検出され、且つ押力検出部により閾値以上の押力が検出されたのに基づいてメニューボタンを異なるモードで表示させる。【選択図】図１
2018073314.tif 000002
【特許請求の範囲】
【請求項１】
表示パネルと、
センサ信号を出力するセンサ部と、
前記センサ信号に基づき前記表示パネルへのタッチを検出するタッチ検出部と、
前記センサ信号に基づき前記表示パネルを押下する押力を検出する押力検出部と、
前記表示パネルを制御する表示制御部と、を備え、
前記表示制御部は、前記表示パネルにメニューボタンを表示させ、前記タッチ検出部により前記メニューボタンへのタッチが検出され且つ前記押力検出部により閾値以上の押力が検出されたのに基づいて前記メニューボタンを異なるモードで表示させる、センサ付き表示装置。
【請求項２】
前記表示制御部は、前記メニューボタンを第１モードで表示させ、前記タッチ検出部により前記メニューボタンのタッチが検出されたのに基づいて前記第１モードとは異なる第２モードで前記メニューボタンを表示させ、前記押力検出部により閾値以上の押力が検出されたのに基づいて前記第１モード及び前記第２モードとは異なる第３モードで前記メニューボタンを表示させる、請求項１に記載のセンサ付き表示装置。
【請求項３】
前記第２モード及び前記第３モードは、前記第１モードとは異なる色で表示させるか、前記第１モードとは異なるサイズで表示させるか、点滅表示させるかのいずれかのモードである、請求項２に記載のセンサ付き表示装置。
【請求項４】
前記表示制御部は、前記第２モードで前記メニューボタンを表示させた状態で、前記タッチ検出部によりタッチが検出されなくなったのに基づいて前記第１モードで前記メニューボタンを表示させる、請求項２または３に記載のセンサ付き表示装置。
【請求項５】
表示パネルと、センサ信号を出力するセンサ部と、前記センサ信号に基づき前記表示パネルへのタッチを検出するタッチ検出部と、前記センサ信号に基づき前記表示パネルを押下する押力を検出する押力検出部と、を備えたセンサ付き表示装置において、
前記表示パネルに第１モードでメニューボタンを表示させ、
前記タッチ検出部によって前記メニューボタンのタッチを検出したのに基づいて前記第１モードとは異なる第２モードで前記メニューボタンを表示させ、
前記押力検出部によって閾値以上の押力を検出したのに基づいて前記第１モード及び前記第２モードとは異なる第３モードで前記メニューボタンを表示させる、センサ付き表示装置の駆動方法。
【請求項６】
前記第３モードで前記メニューボタンを表示させた後に、前記メニューボタンに対応したアプリケーション画面を表示させる、請求項５に記載のセンサ付き表示装置の駆動方法。
【発明の詳細な説明】
【技術分野】
【０００１】
本発明の実施形態は、センサ付き表示装置及びその駆動方法に関する。
【背景技術】
【０００２】
近年、表示装置のインターフェイス等として、指などの被検出物のタッチを検出するセンサが実用化されている。最近では、タッチ位置のみならず、タッチ圧力の大きさを検出するスマートフォンが提案されている。
【先行技術文献】
【特許文献】
【０００３】
【特許文献１】特開２０１６−１０５３０７号公報
【発明の概要】
【発明が解決しようとする課題】
【０００４】
本実施形態の目的は、操作性を向上することが可能なセンサ付き表示装置及びその駆動方法を提供することにある。
【課題を解決するための手段】
【０００５】
一実施形態によれば、  
表示パネルと、センサ信号を出力するセンサ部と、前記センサ信号に基づき前記表示パネルへのタッチを検出するタッチ検出部と、前記センサ信号に基づき前記表示パネルを押下する押力を検出する押力検出部と、前記表示パネルを制御する表示制御部と、を備え、前記表示制御部は、前記表示パネルにメニューボタンを表示させ、前記タッチ検出部により前記メニューボタンへのタッチが検出され且つ前記押力検出部により閾値以上の押力が検出されたのに基づいて前記メニューボタンを異なるモードで表示させる、センサ付き表示装置が提供される。
【０００６】
一実施形態によれば、  
表示パネルと、センサ信号を出力するセンサ部と、前記センサ信号に基づき前記表示パネルへのタッチを検出するタッチ検出部と、前記センサ信号に基づき前記表示パネルを押下する押力を検出する押力検出部と、を備えたセンサ付き表示装置において、前記表示パネルに第１モードでメニューボタンを表示させ、前記タッチ検出部によって前記メニューボタンのタッチを検出したのに基づいて前記第１モードとは異なる第２モードで前記メニューボタンを表示させ、前記押力検出部によって閾値以上の押力を検出したのに基づいて前記第１モード及び前記第２モードとは異なる第３モードで前記メニューボタンを表示させる、センサ付き表示装置の駆動方法が提供される。
【図面の簡単な説明】
【０００７】
【図１】図１は、本実施形態のセンサ付き表示装置ＤＳＰの構成例を示す図である。
【図２】図２は、図１に示したセンサ部ＳＥにおけるタッチ検出用の第１検出部ＳＥ１の構成例を説明するための図である。
【図３】図３は、図１に示したセンサ部ＳＥにおける押力検出用の第２検出部ＳＥ２の構成例を説明するための図である。
【図４】図４は、図１に示したセンサ付き表示装置ＤＳＰに適用可能な駆動方法を説明するためのフローチャートである。
【図５】図５は、メニュー画面の一例を示す図である。
【図６】図６は、メニュー画面の一部のメニューボタンが第２モードで表示された状態を示す図である。
【図７】図７は、メニュー画面の一部のメニューボタンが第３モードで表示された状態を示す図である。
【図８】図８は、アプリケーション画面の一例を示す図である。
【図９】図９は、メニューボタンの第１乃至第３モードの具体例を説明するための図である。
【図１０】図１０は、メニューボタンの点滅表示の具体例を説明するための図である。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
図１は、本実施形態のセンサ付き表示装置ＤＳＰの構成例を示す図である。  
センサ付き表示装置ＤＳＰは、表示パネルＰＮＬと、センサ部ＳＥと、タッチ検出部ＴＳと、押力検出部ＰＳと、表示制御部ＤＣＴとを備えている。
【００１０】
表示パネルＰＮＬは、例えば、液晶表示装置や、有機エレクトロルミネッセンス表示装置などによって構成されている。液晶表示装置は、照明装置からの光を選択的に透過させることで画像を表示する透過型、外光あるいは照明装置からの光を選択的に反射させることで画像を表示する反射型、あるいは、透過型及び反射型の双方の表示機能を備えた半透過型のいずれであっても良い。表示パネルＰＮＬは、種々の画面を表示する表示部ＤＡを備えている。図示した例では、表示部ＤＡには、メニューボタンＢＴを含む画面ＳＣＲが表示されている。
【００１１】
センサ部ＳＥは、センサ信号を出力する。センサ部ＳＥは、例えば静電容量方式のセンサを備え、一対の電極間の静電容量の変化に対応したセンサ信号を出力する。センサ部ＳＥを構成する一部の電極は、表示パネルＰＮＬに内蔵されていても良い。センサ部ＳＥの構成例については後述するが、センサ部ＳＥは、人間の指などの被検出物のタッチの有無及びタッチ位置を検出する第１検出部と、被検出物の押力（force）を検出する第２検出部と、を備えている。なお、第１検出部及び第２検出部は、共用されても良い。
【００１２】
タッチ検出部ＴＳは、センサ部ＳＥからのセンサ信号に基づいて、表示パネルＰＮＬへの被検出物のタッチを検出する。押力検出部ＰＳは、センサ部ＳＥからのセンサ信号に基づいて、表示パネルＰＮＬを押下する押力を検出する。タッチ検出部ＴＳ及び押力検出部ＰＳは、例えば、ＩＣチップＩ１に内蔵されている。タッチ検出部ＴＳ及び押力検出部ＰＳは、それぞれの検出結果をアプリケーションプロセッサ（ホスト）ＡＰや表示制御部ＤＣＴに出力する。なお、被検出物がタッチした位置座標に関する情報は、タッチ検出部ＴＳにおいて演算されても良いし、アプリケーションプロセッサＡＰにおいてタッチ検出部ＴＳからの検出結果に基づいて演算されても良い。同様に、被検出物が押下した押力に関する情報は、押力検出部ＰＳにおいて演算されても良いし、アプリケーションプロセッサＡＰにおいて押力検出部ＰＳからの検出結果に基づいて演算されても良い。
【００１３】
表示制御部ＤＣＴは、表示パネルＰＮＬを制御する。表示制御部ＤＣＴは、例えば、ＩＣチップＩ２に内蔵されている。なお、表示制御部ＤＣＴは、ＩＣチップ１に内蔵されても良いし、アプリケーションプロセッサＡＰに内蔵されても良い。表示制御部ＤＣＴは、タッチ検出部ＴＳ及び押力検出部ＰＳからの検出結果や、アプリケーションプロセッサＡＰからの信号に基づいて、表示部ＤＡに種々の画面を表示させる。
【００１４】
アプリケーションプロセッサＡＰは、複数のアプリケーションソフトウエアＡ、Ｂ、Ｃ、…を内蔵している。アプリケーションソフトウエアの一例として、カーナビゲーションシステム、オーディオビジュアル制御システム、空調制御システム、交通情報受信システム、車載カメラ撮像システム、音声通話システムなどを実行するためのソフトウエアが挙げられる。
【００１５】
図２は、図１に示したセンサ部ＳＥにおけるタッチ検出用の第１検出部ＳＥ１の構成例を説明するための図である。図中の第１方向Ｘ及び第２方向Ｙは、互いに直交しているが、９０度以外の角度で交差していても良い。
【００１６】
第１検出部ＳＥ１は、第１電極Ｅ１及び第２電極Ｅ２を備えている。図示した例では、第１電極Ｅ１及び第２電極Ｅ２は、平面視で表示部ＤＡに重なっている。また、複数の第１電極Ｅ１は、それぞれ第２方向Ｙに延出した帯状に形成され、間隔をおいて第１方向Ｘに並んでいる。複数の第２電極Ｅ２は、それぞれ第１方向Ｘに延出した帯状に形成され、間隔をおいて第２方向Ｙに並んでいる。これらの第１電極Ｅ１及び第２電極Ｅ２は、互いに交差している。第１電極Ｅ１は、駆動回路ＣＤと電気的に接続されている。第２電極Ｅ２は、検出回路ＤＣ１と電気的に接続されている。検出回路ＤＣ１は、図１に示したタッチ検出部ＴＳに含まれる。  
駆動回路ＣＤは、被検出物のタッチを検出する際に、第１電極Ｅ１に対してセンサ駆動信号を供給する。これにより、第１電極Ｅ１は、第２電極Ｅ２との間で容量を発生させる。第２電極Ｅ２は、第１電極Ｅ１へのセンサ駆動信号の供給に伴って、タッチ検出に必要なセンサ信号（つまり、第１電極Ｅ１と第２電極Ｅ２との間の電極間容量の変化に基づいた信号）を出力する。検出回路ＤＣ１は、第２電極Ｅ２からセンサ信号を読み取り、被検出物のタッチの有無を検出し、さらには、被検出物の位置座標などを検出することもできる。  
なお、第１検出部ＳＥ１の構成は、図示した例に限定されるものではない。
【００１７】
図３は、図１に示したセンサ部ＳＥにおける押力検出用の第２検出部ＳＥ２の構成例を説明するための図である。図中の第３方向Ｚは、第１方向Ｘ及び第２方向Ｙで規定されるＸ-Ｙ平面の法線方向に相当する。
【００１８】
第２検出部ＳＥ２は、第３電極Ｅ３及び第４電極Ｅ４を備えている。第３電極Ｅ３及び第４電極Ｅ４は、第３方向Ｚに離間している。第４電極Ｅ４は、第３電極Ｅ３よりも表示パネルＰＮＬに近接している。第３電極Ｅ３と第４電極Ｅ４との間は、空気層であっても良いし、弾性を有する絶縁層であっても良い。第３電極Ｅ３は、例えば基準電位層であり、固定電位の電源に接続されていても良いし、接地電位であっても良い。第４電極Ｅ４は、検出回路ＤＣ２と電気的に接続されている。検出回路ＤＣ２は、図１に示した押力検出部ＰＳに含まれる。  
被検出物Ｆが表示パネルＰＮＬに押力を加える前の状態では、第３電極Ｅ３及び第４電極Ｅ４は、第３方向Ｚに沿った距離ｄ０で対向している。被検出物Ｆが表示パネルＰＮＬに押力を加えた状態では、表示パネルＰＮＬ及び第４電極Ｅ４が撓み、押力を加える前よりも表示パネルＰＮＬ及び第４電極Ｅ４が第３電極Ｅ３に接近する。このため、第３電極Ｅ３及び第４電極Ｅ４の間の第３方向Ｚに沿った距離ｄ１は距離ｄ０よりも小さくなる。これにより、第３電極及び第４電極Ｅ４の間の静電容量が変化する。第４電極Ｅ４は、押力の検出に必要なセンサ信号（つまり、第３電極Ｅ３と第４電極Ｅ４との間の電極間容量の変化に基づいた信号）を出力する。検出回路ＤＣ２は、第４電極Ｅ４からセンサ信号を読み取り、被検出物の押力を検出する。  
なお、第３電極Ｅ３及び第４電極Ｅ４のうちの一方は、図２に示した第１電極Ｅ１及び第２電極Ｅ２のうちの一方と同一であっても良いし、第３電極Ｅ３及び第４電極Ｅ４のうちの他方は、第１電極Ｅ１及び第２電極Ｅ２のうちの他方と同一であっても良い。  
なお、第２検出部ＳＥ２の構成は、図示した例に限定されるものではない。
【００１９】
図４は、図１に示したセンサ付き表示装置ＤＳＰに適用可能な駆動方法を説明するためのフローチャートである。  
まず、表示制御部ＤＣＴは、表示パネルＰＮＬに複数のメニューボタンを含むメニュー画面を表示させる（ステップＳＴ１）。このとき、メニューボタンの各々は、第１モードで表示される。一例では、図５に示すように、メニュー画面ＳＣＲ１は、表示パネルＰＮＬの表示部ＤＡに表示される。メニュー画面ＳＣＲ１には、例えば、８個のメニューボタンＢＴＡ、ＢＴＢ、ＢＴＣ、ＢＴＤ、ＢＴＥ、ＢＴＦ、ＢＴＧ、ＢＴＨが表示されている。これらのメニューボタンＢＴＡ乃至ＢＴＨには、各々異なるメニューＡ乃至Ｈの名称が表示されている。ここでのメニューＡ乃至Ｈとは、図１に示したアプリケーションプロセッサＡＰに内蔵されたアプリケーションソフトウエアＡ乃至Ｈにそれぞれ対応している。図示した例では、メニューボタンＢＴＡ乃至ＢＴＨは、同一色且つ同一サイズで表示されている。
【００２０】
続いて、タッチ検出部ＴＳは、メニューボタンＢＴＡ乃至ＢＴＨのいずれかへのタッチを検出したか否かを判定する（ステップＳＴ２）。すなわち、タッチ検出部ＴＳは、メニュー画面ＳＣＲ１への被検出物のタッチを検出した際に、被検出物がタッチした位置座標を検出する。そして、タッチ検出部ＴＳは、被検出物の位置座標と、メニューボタンＢＴＡ乃至ＢＴＨのいずれかが表示されている領域内の位置座標とが一致する場合には、当該メニューボタンのタッチを検出したものと判定する。そして、タッチ検出部ＴＳは、メニューボタンへのタッチを検出した旨の検出結果を表示制御部ＤＣＴ及びアプリケーションプロセッサＡＰに出力する。  
その後、表示制御部ＤＣＴは、タッチ検出部ＴＳによりメニューボタンのタッチが検出されたのに基づいて（ステップＳＴ２、Ｙｅｓ）、当該メニューボタンを第１モードとは異なる第２モードで表示させる（ステップＳＴ３）。  
一例では、図６に示すように、メニュー画面ＳＣＲ１において被検出物ＦのメニューボタンＢＴＣへのタッチが検出された場合、メニューボタンＢＴＣは、隣接する他のメニューボタンＢＴＢ及びＢＴＤなどよりも大きなサイズに表示される。このとき、メニューボタンＢＴＣのサイズは、被検出物Ｆと重なる面積よりも大きいことが望ましい。なお、メニューボタンＢＴＣ以外の他メニューボタンについては、表示モードは変更されず、図５に示したのと同じく第１モードで表示される。  
一方、表示制御部ＤＣＴは、タッチ検出部ＴＳによりメニューボタンのタッチが検出されなかった場合には（ステップＳＴ２、Ｎｏ）、ステップＳＴ１に戻り、図５に示したように、すべてのメニューボタンＢＴＡ乃至ＢＴＨを第１モードで表示させた状態を維持する。
【００２１】
続いて、押力検出部ＰＳは、表示パネルＰＮＬへの押力を検出し、しかも、その押力が閾値以上であるか否かを判定する（ステップＳＴ４）。なお、このときに押力を検出する位置は、メニュー画面ＳＣＲ１と重なる位置であれば特に問わない。つまり、押力が検出される位置座標は、タッチ検出されたメニューボタンの位置座標と異なっていても良い。押力検出部ＰＳは、検出結果を表示制御部ＤＣＴ及びアプリケーションプロセッサＡＰに出力する。  
その後、表示制御部ＤＣＴは、押力検出部ＰＳにより閾値以上の押力が検出されたのに基づいて（ステップＳＴ４、Ｙｅｓ）、当該メニューボタンを第１モード及び第２モードとは異なる第３モードで表示させる（ステップＳＴ５）。つまり、表示制御部ＣＤＴは、メニューボタンへのタッチが検出され且つ閾値以上の押力が検出されたのに基づいて、メニューボタンを異なるモードで表示させる。  
一例では、図７に示すように、メニュー画面ＳＣＲ１において被検出物Ｆによる閾値以上の押力が検出された場合、メニューボタンＢＴＣは、点滅表示される。ここで説明する第１乃至第３モードの詳細については後述する。なお、メニューボタンＢＴＣ以外の他メニューボタンについては、表示モードは変更されない。  
一方、押力検出部ＰＳが閾値以上の押力を検出しなかった場合には（ステップＳＴ４、Ｎｏ）、タッチ検出部ＴＳは、メニュー画面ＳＣＲ１への被検出物のタッチが継続しているか否かを判定する（ステップＳＴ６）。そして、表示制御部ＤＣＴは、タッチ検出部ＴＳにより被検出物のタッチを検出した場合には（ステップＳＴ６、Ｙｅｓ）、ステップＳＴ３に戻り、図６に示したように、メニューボタンＢＴＣを第２モードで表示させた状態を維持する。一方、表示制御部ＤＣＴは、タッチ検出部ＴＳにより被検出物のタッチを検出しなかった場合には（ステップＳＴ６、Ｎｏ）、ステップＳＴ１に戻り、メニューボタンＢＴＣの表示モードを第１モードに変更し、図５に示したように、すべてのメニューボタンＢＴＡ乃至ＢＴＨを第１モードで表示させる。
【００２２】
続いて、アプリケーションプロセッサＡＰは、押力検出部ＰＳから閾値以上の押力を検出したとの検出結果に基づき、対応するアプリケーションソフトウエアを起動させる。上記の例では、メニューボタンＢＴＣへのタッチが検出されたため、メニューＣに対応したアプリケーションソフトウエアＣが起動される。そして、アプリケーションプロセッサＡＰは、アプリケーションソフトウエアＣに対応した映像信号を表示制御部ＤＣＴに出力する。そして、表示制御部ＤＣＴは、表示パネルＰＮＬにアプリケーションソフトウエアＣの画面を表示させる（ステップＳＴ７）。一例では、アプリケーションソフトウエアＣがナビゲーションシステムである場合、図８に示すように、表示部ＤＡにアプリケーション画面（地図画面）ＳＣＲ２が表示される。
【００２３】
図９は、メニューボタンの第１乃至第３モードの具体例を説明するための図である。ここでは、メニューボタンＢＴＡの表示モードの変化について説明する。  
図９の（Ａ）に示した例では、メニューボタンＢＴＡは、第１モードにおいて第１色（図９中において右下がりの斜線で示す）で表示され、第２モードにおいては第１色とは異なる第２色（図９中において横線で示す）で表示され、第３モードにおいては第１色及び第２色とは異なる第３色（図９中において縦線で示す）で表示される。メニューボタンＢＴＡのサイズは、第１乃至第３モードにおいて不変である。  
図９の（Ｂ）に示した例では、メニューボタンＢＴＡは、第１モードにおいて第１色で表示され、第２モードにおいては第２色で表示され、第３モードにおいては点滅表示される。点滅表示の具体例については後述する。第３モードにおけるメニューボタンＢＴＡの色は、第１乃至第３色のいずれであっても良い。メニューボタンＢＴＡのサイズは、第１乃至第３モードにおいて不変である。  
図９の（Ｃ）に示した例では、メニューボタンＢＴＡは、第２モードにおいて第１モードとは異なるサイズで表示され、第３モードにおいて第２モードとは異なる第３色で表示される。なお、第１モードにおけるメニューボタンＢＴＡの表示色は、第１乃至第３色のいずれであっても良い。図示した例では、メニューボタンＢＴＡは、第２モードにおいて、第１モードよりも拡大表示されている。但し、メニューボタンＢＴＡの表示色は、第１モードと第２モードとで異なっていても良いし、同一であっても良い。第２モード及び第３モードにおいては、メニューボタンＢＴＡのサイズは、不変であるが、異なっていても良い。  
図９の（Ｄ）に示した例では、メニューボタンＢＴＡは、第２モードにおいて第１モードとは異なるサイズで表示され、第３モードにおいて点滅表示される。なお、第１モード及び第３モードにおけるメニューボタンＢＴＡの表示色は、第１乃至第３色のいずれであっても良い。また、メニューボタンＢＴＡの表示色は、第１モードと第２モードとで異なっていても良いし、同一であっても良い。  
以上の通り、第２モード及び第３モードは、ａ）第１モードとは異なる色で表示させるか、ｂ）第１モードとは異なるサイズで表示させるか、ｃ）点滅表示させるかのいずれかのモードであれば良く、ａ）乃至ｃ）のうちの２つ以上の組み合わせであっても良い。
【００２４】
図１０は、メニューボタンの点滅表示の具体例を説明するための図である。  
図１０の（Ａ）に示した例では、メニューボタンＢＴＡが第１色（右下がりの斜線で示す）で点灯表示された状態と、点線で示す消灯状態とを交互に繰り返すことで、メニューボタンＢＴＡの点滅表示が実現される。  
図１０の（Ｂ）に示した例では、メニューボタンＢＴＡが第１色で点灯表示された状態と、第１色とは異なる第２色（横線で示す）で点灯表示された状態とを交互に繰り返すことで、メニューボタンＢＴＡの点滅表示が実現される。  
図１０の（Ｃ）に示した例では、メニューボタンＢＴＡが第１サイズで点灯表示された状態と、第１サイズとは異なる第２サイズで点灯表示された状態とを交互に繰り返すことで、メニューボタンＢＴＡの点滅表示が実現される。このとき、メニューボタンＢＴＡの表示色は、第１色のままで不変である。  
図１０の（Ｄ）に示した例では、メニューボタンＢＴＡが第１サイズの第１色で点灯表示された状態と、第１サイズとは異なる第２サイズの第２色で点灯表示された状態とを交互に繰り返すことで、メニューボタンＢＴＡの点滅表示が実現される。
【００２５】
本実施形態によれば、メニュー画面ＳＣＲ１におけるメニューの選択は、被検出物のメニューボタンＢＴへのタッチの有無を判定することによって行い、当該メニューの実行は、被検出物によるメニュー画面ＳＣＲ１への閾値以上の押力の有無を判定することによって行う。メニュー実行の際にメニュー画面ＳＣＲを押圧する位置は、必ずしもメニューボタンＢＴの位置である必要はなく、メニュー画面ＳＣＲ１であればどの位置であっても良い。これにより、操作性を向上することが可能となる。
【００２６】
また、メニュー選択の際には、メニューボタンの表示モードが変わるため、メニューボタンＢＴへのタッチ入力に対する認証応答として、ユーザに対して視覚的にフィードバックすることができる。また、メニュー実行の際には、メニューボタンの表示モードがさらに変わるため、メニュー画面への閾値以上の押力入力に対する認証応答として、ユーザに対して視覚的にフィードバックすることができる。
【００２７】
また、表示モードの変更に際しては、メニューボタンを異なる色で表示させたり、メニューボタンを異なるサイズで表示させたり、メニューボタンを点滅表示させたりすることで、ユーザに対して選択および実行させるメニューの視認性を向上することができる。
【００２８】
以上説明したように、本実施形態によれば、操作性を向上することが可能なセンサ付き表示装置及びその駆動方法を提供することができる。
【００２９】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３０】
ＤＳＰ…センサ付き表示装置
ＰＮＬ…表示パネル  ＳＥ…センサ部
ＴＳ…タッチ検出部  ＰＳ…押力検出部  ＤＣＴ…表示制御部
【図１】
2018073314.tif 000003
【図２】
2018073314.tif 000004
【図３】
2018073314.tif 000005
【図４】
2018073314.tif 000006
【図５】
2018073314.tif 000007
【図６】
2018073314.tif 000008
【図７】
2018073314.tif 000009
【図８】
2018073314.tif 000010
【図９】
2018073314.tif 000011
【図１０】
2018073314.tif 000012